【手続補正書】
【提出日】平成19年4月25日(2007.4.25)
【手続補正１】
【補正対象書類名】特許請求の範囲
【補正対象項目名】全文
【補正方法】変更
【補正の内容】
【特許請求の範囲】
【請求項１】
水性ビヒクル中に、顔料およびポリマー性イオン性分散剤を含む水性顔料分散体であって：
（ａ）前記イオン性分散剤が、前記顔料に物理的に吸着され、
（ｂ）前記ポリマー性イオン性分散剤が、前記水性ビヒクル中に前記顔料を安定して分散し、
（ｃ）前記分散体の平均粒径が約３００ｎｍ未満であり、そして
（ｄ）前記水性顔料分散体を以下の量：
（ｉ）（前記分散体の全重量を基準にして）約１０重量％以上の固形分の顔料分散体の場合で１滴、
（ｉｉ）（前記分散体の全重量を基準にして）約５〜１０重量％の固形分の顔料分散体の場合で２滴、そして
（ｉｉｉ）（前記分散体の全重量を基準にして）約５重量％以下の固形分の顔料分散体の場合で３滴、
で、約０．２０モル濃度の塩の塩水溶液約１．５ｇに添加したときに、その添加の２４時間後に観察したときに、前記顔料が前記塩水溶液から沈殿していることを特徴とする水性顔料分散体。
【請求項２】
水性ビヒクル中に、顔料およびポリマー性イオン性分散剤を含む水性顔料分散体であって：
（ａ）前記イオン性分散剤が、前記顔料に物理的に吸着され、
（ｂ）前記ポリマー性イオン性分散剤が、実質的に立体的な安定化をともなわず、イオン的な安定化によって、前記水性ビヒクル中に前記顔料を安定して分散し、そして
（ｃ）前記分散体の平均粒径が約３００ｎｍ未満である、
ことを特徴とする水性顔料分散体。
【請求項３】
請求項１または２に記載の水性顔料分散体を含むことを特徴とする水性顔料化インクジェットインキ。
【請求項４】
少なくとも１種のシアンインキ、少なくとも１種のマゼンタインキおよび少なくとも１種のイエローインキを含むインキセットであって、前記インキの少なくとも１種が、請求項３に記載の水性顔料化インクジェットインキであることを特徴とするインキセット。
【請求項５】
基材の上にインクジェット印刷するための方法であって：
（ａ）デジタルデータ信号に応答するインクジェットプリンタを提供する工程；
（ｂ）前記プリンタに、印刷される基材をローディングする工程；
（ｃ）前記プリンタに、請求項３に記載のインキをローディングする工程；および
（ｄ）前記インキまたはインクジェットインキセットを使用して、デジタルデータ信号に応答させて、前記基材の上に印刷する工程、
を含むことを特徴とする、基材の上にインクジェット印刷するための方法。
【請求項６】
請求項１または２に記載の水性顔料分散体を製造するための方法であって、顔料およびイオン性ポリマー性分散剤を水性キャリヤ媒体中において混合する工程、次いで前記顔料を分散または解凝集させる工程を含むことを特徴とする方法。
【手続補正２】
【補正対象書類名】明細書
【補正対象項目名】０３３２
【補正方法】変更
【補正の内容】
【０３３２】
【表１】
2006527282.tif 000001
本出願は、特許請求の範囲に記載の発明を含め、以下の発明を包含する。
（１）  水性ビヒクル中に、顔料およびポリマー性イオン性分散剤を含む水性顔料分散体であって：
（ａ）前記イオン性分散剤が、前記顔料に物理的に吸着され、
（ｂ）前記ポリマー性イオン性分散剤が、前記水性ビヒクル中に前記顔料を安定して分散し、
（ｃ）前記分散体の平均粒径が約３００ｎｍ未満であり、そして
（ｄ）前記水性顔料分散体を以下の量：
（ｉ）（前記分散体の全重量を基準にして）約１０重量％以上の固形分の顔料分散体の場合で１滴、
（ｉｉ）（前記分散体の全重量を基準にして）約５〜１０重量％の固形分の顔料分散体の場合で２滴、そして
（ｉｉｉ）（前記分散体の全重量を基準にして）約５重量％以下の固形分の顔料分散体の場合で３滴、
で、約０．２０モル濃度の塩の塩水溶液約１．５ｇに添加したときに、その添加の２４時間後に観察したときに、前記顔料が前記塩水溶液から沈殿していることを特徴とする水性顔料分散体。
（２）  前記ポリマー性イオン性分散剤が親水性部分と疎水性部分とを有し、疎水性部分がほとんどの部分を占めていることを特徴とする（１）に記載の水性顔料分散体。
（３）  前記ポリマー性イオン性分散剤が、１種または複数の親水性モノマーおよび１種または複数の疎水性モノマーのコポリマーであり、前記コポリマーが約３００より大きく、約３０，０００より小さい数平均分子量を有することを特徴とする（２）に記載の水性顔料分散体。
（４）  顔料の、ポリマー性イオン性分散剤に対する重量比が約０．５〜約６であることを特徴とする（１）に記載の水性顔料分散体。
（５）  前記水性ビヒクルが、水と、少なくとも１種の水混和性溶媒との混合物であることを特徴とする（１）に記載の水性顔料分散体。
（６）  水性ビヒクル中に、顔料およびポリマー性イオン性分散剤を含む水性顔料分散体であって：
（ａ）前記イオン性分散剤が、前記顔料に物理的に吸着され、
（ｂ）前記ポリマー性イオン性分散剤が、実質的に立体的な安定化をともなわず、イオン的な安定化によって、前記水性ビヒクル中に前記顔料を安定して分散し、そして
（ｃ）前記分散体の平均粒径が約３００ｎｍ未満である、
ことを特徴とする水性顔料分散体。
（７）  前記水性顔料分散体を以下の量で：
（ｉ）（前記分散体の全重量を基準にして）約１０重量％以上の固形分の顔料分散体の場合で１滴、
（ｉｉ）（前記分散体の全重量を基準にして）約５〜１０重量％の固形分の顔料分散体の場合で２滴、そして
（ｉｉ）（前記分散体の全重量を基準にして）約５重量％以下の固形分の顔料分散体の場合で３滴、
で、約０．２０モル濃度より高い塩の塩水溶液約１．５ｇに添加したときに、その添加の２４時間後に観察したときに、前記顔料が前記塩水溶液から沈殿していることを特徴とする（６）に記載の水性顔料分散体。
（８）  前記ポリマー性イオン性分散剤が親水性部分と疎水性部分とを有し、疎水性部分がほとんどの部分を占めていることを特徴とする（６）に記載の水性顔料分散体。
（９）  前記ポリマー性イオン性分散剤が、１種または複数の親水性モノマーおよび１種または複数の疎水性モノマーのコポリマーであり、前記コポリマーが約３００より大きく、約３０，０００より小さい数平均分子量を有することを特徴とする（８）に記載の水性顔料分散体。
（１０）  顔料の、ポリマー性イオン性分散剤に対する重量比が約０．５〜約６であることを特徴とする（６）に記載の水性顔料分散体。
（１１）  前記水性ビヒクルが、水と、少なくとも１種の水混和性溶媒との混合物であることを特徴とする（６）に記載の水性顔料分散体。
（１２）  （１）〜（１１）のいずれかに記載の水性顔料分散体を含むことを特徴とする水性顔料化インクジェットインキ。
（１３）  前記インキが、前記インキの全重量を基準にして、約０．１〜約１０重量％の顔料を有し、約０．５〜約６の、顔料の分散剤に対する重量比を有し、２５℃において約２０ダイン／ｃｍ〜約７０ダイン／ｃｍの範囲の表面張力を有し、そして２５℃において約３０ｃＰより低い粘度を有することを特徴とする（１２）に記載の水性顔料化インクジェットインキ。
（１４）  少なくとも１種のシアンインキ、少なくとも１種のマゼンタインキおよび少なくとも１種のイエローインキを含むインキセットであって、前記インキの少なくとも１種が、（１２）に記載の水性顔料化インクジェットインキであることを特徴とするインキセット。
（１５）  少なくとも１種のシアンインキ、少なくとも１種のマゼンタインキおよび少なくとも１種のイエローインキを含むインキセットであって、前記インキの少なくとも１種が、（１３）に記載の水性顔料化インクジェットインキであることを特徴とするインキセット。
（１６）  基材の上にインクジェット印刷するための方法であって：
（ａ）デジタルデータ信号に応答するインクジェットプリンタを提供する工程；
（ｂ）前記プリンタに、印刷される基材をローディングする工程；
（ｃ）前記プリンタに、（１２）に記載のインキをローディングする工程；および
（ｄ）前記インキまたはインクジェットインキセットを使用して、デジタルデータ信号に応答させて、前記基材の上に印刷する工程、
を含むことを特徴とする、基材の上にインクジェット印刷するための方法。
（１７）  前記プリンタに、（１４）に記載のインキセットをローディングすることを特徴とする請求項１６に記載の基材の上にインクジェット印刷するための方法。
（１８）  （１）〜（１１）のいずれかに記載の水性顔料分散体を製造するための方法であって、顔料およびイオン性ポリマー性分散剤を水性キャリヤ媒体中において混合する工程、次いで前記顔料を分散または解凝集させる工程を含むことを特徴とする方法。
（１９）  前記分散が、２本ロールミル法、メディアミル法、および液状ジェット相互作用チャンバーの中で少なくとも５，０００ｐｓｉの液体圧力において、その混合物を複数のノズルを通過させる方法、からなる群より選択されるプロセスによって達成されることを特徴とする（１８）に記載の方法。